(57)【要約】  本発明は流動性が大きいスラッジの円滑な投入が可能な電気泳動式電気浸透脱水機であって、キャタピラ部の間の空間でスラッジ供給部の下部に具備され、供給されるスラッジの流動性に応じて可変的に力を加えるシリンダと、一側が外郭フレームに回動可能にヒンジで固定され、他側がシリンダと連結されてキャタピラ部に届くように具備されるスプロケット（ｓｐｒｏｋｅｔ）と、を含む可変部と、キャタピラ部の間の空間に具備され、キャタピラ部を運行させる複数個のアイドルスプロケット（Ｉｄｌｅ  Ｓｐｒｏｃｋｅｔ）と、を含み、シリンダに加えられる力に応じてスプロケットがヒンジによって回動されてドラムとキャタピラ部との間の間隔が可変される。スラッジの流動性に応じてシリンダに異なる空圧を加え、可変的にドラムとキャタピラとの間の間隔を変更することでスラッジの投入が容易になり、溢れ出るスラッジがないため設備の汚染がなく、スラッジの処理量が向上される効果がある。
2015508333.tif 000002
【特許請求の範囲】
【請求項１】
上部に具備されてスラッジが供給されるスラッジ供給部と、
前記スラッジ供給部の下部に具備され、軸に従って回転する円筒状の内周面に一方の極性の直流電源が印加されるドラムと、
前記ドラムと一定間隔を置いて設置されて運行され、前記ドラムとの間に前記供給されるスラッジが投入され、他方の極性の直流電源が印加されるキャタピラ部と、
前記キャタピラ部の間の空間で前記スラッジ供給部の下部に具備され、供給されるスラッジの流動性に応じて可変的に力を加えるシリンダと、一側が外郭フレームに回動可能にヒンジで固定され、他側が前記シリンダと連結されて前記キャタピラ部に届くように具備されるスプロケット（ｓｐｒｏｃｋｅｔ）と、を含む可変部と、
前記キャタピラ部の間の空間に具備され、前記キャタピラ部を運行させる複数個のアイドルスプロケット（ｉｄｌｅ  ｓｐｒｏｃｋｅｔ）部と、を含み、
前記シリンダに加えられる力に応じて前記スプロケットがヒンジによって回動され、前記ドラムとキャタピラ部との間の間隔が可変されることを特徴とする電気泳動式電気浸透脱水機。
【請求項２】
前記シリンダと連結されて前記シリンダに加えられる空圧を調節する圧力調節装置を更に含み、
水分含量が高くて流動性が大きいスラッジの場合、前記圧力調節装置が前記シリンダに空圧を弱く加え、前記スプロケットがキャタピラ部を弱く押して前記キャタピラ部とドラムとの間の間隔を維持し、
水分含量が低くて流動性が小さいスラッジの場合、前記圧力調節装置が前記シリンダに空圧を強く加え、前記スプロケットがキャタピラ部を強く押して前記キャタピラ部とドラムとの間の間隔を狭く維持することを特徴とする請求項１に記載の電気泳動式電気浸透脱水機。
【請求項３】
前記スラッジ供給部は中央上部に具備され、回転部及び前記回転部の下部に具備される２つのローラを含み、
前記アイドルスプロケット部は前記スラッジ供給部の下部にそれぞれ具備される第１及び第２アイドルスプロケット、前記第２アイドルスプロケットの下部で前記ドラムに沿って一定間隔で具備される第３乃至第６アイドルスプロケットを含むことを特徴とする請求項１に記載の電気泳動式電気浸透脱水機。
【発明の詳細な説明】
【技術分野】
【０００１】
本発明は、電気泳動式電気浸透脱水機に関するものであり、更に詳しくは、流動性に応じてスラッジの円滑な投入が可能な電気泳動式電気浸透脱水機に関するものである。
【背景技術】
【０００２】
一般に、電気浸透脱水機はスラッジと結合された水を電気泳動性を除去するための電場を形成させるために直流電源が印加され、その電圧差によってスラッジの含水を脱水させる装置である。
【０００３】
このような電気泳動式電気浸透脱水機は、「電気浸透脱水機（特許文献１）」、「位相制御型電気脱水機（特許文献２）」、「電気浸透脱水機（特許文献３）」及び「三相交流電源を利用した位相制御型電気泳動式電気浸透脱水機（特許文献４）」などに記載されて周知であるように、その構造は大きく正極（＋）又は負極（−）が印加されたドラム、ドラムと一定空間部を置いて設置されて全体に負極（−）又は正極（＋）が印加されたキャタピラ、ドラムとキャタピラとの間にスラッジの移送及び脱水のために巻き取られたろ布ベルトなどで構成される。
【０００４】
このような従来の電気浸透脱水機は、ドラムとキャタピラとの間に一定の純粋直流電圧が印加されて電場が形成され、電場の中で帯電された液体スラッジ粒子周囲の水が電気泳動と毛細管現象によってスラッジ粒子が帯びている電荷と反対の電極の方に移動し、水分が分離されて除去される。
【０００５】
即ち、スラッジ粒子は（−）表面電荷を帯びるためスラッジに電場を形成させるとスラッジ粒子は（＋）極に移動し、スラッジ粒子層内の水分は（−）極に移動して脱水が促進される。
【０００６】
このような従来の電気浸透脱水機はスラッジを投入する際、スプロケットが一定の強い圧力をキャタピラ部に加えて投入される部分が狭くなるため、スラッジがうまく投入されない問題がある。特に、流動性が大きいスラッジ、即ち、柔らかなスラッジである場合、強すぎる圧力によって側面に抜け出されて投入されずにドラムの方に溢れ出る問題がある。よって、設備が汚染され、スラッジ処理量が著しく不足な問題点もある。
【０００７】
設備が破損され、スラッジが溢れ出る従来の電気浸透脱水機の状態が図１に示される。図１は、従来の電気浸透脱水機の問題現象を示す写真である。図１に示したように、投入部分でスラッジが側面に抜け出されて投入されずに溢れ出ることが分かる。よって、溢れ出るスラッジによって設備が汚染されて破損されるなどの問題点がある。
【先行技術文献】
【特許文献】
【０００８】
【特許文献１】出願番号１０−２００４−７７５９号
【特許文献２】出願番号１０−２００５−９９２８号
【特許文献３】出願番号１０−２００７−４６４９４号
【特許文献４】出願番号１０−２００８−４４９０１号
【発明の概要】
【発明が解決しようとする課題】
【０００９】
本発明は上述したような問題点を解決するために提案されたものであり、その目的は、投入されるスラッジの種類に応じてドラムとキャタピラとの間の間隔を可変する電気泳動式電気浸透脱水機を提供することにある。
【００１０】
本発明の他の目的は、溢れ出るスラッジがないため設備の汚染がなく、スラッジの処理量が向上される電気泳動式電気浸透脱水機を提供することにある。
【課題を解決するための手段】
【００１１】
上述したような目的を達成するための本発明による電気泳動式電気浸透脱水機は、上部に具備されてスラッジが供給されるスラッジ供給部と、前記スラッジ供給部の下部に具備され、軸に従って回転する円筒状の内周面に一方の極性の直流電源が印加されるドラムと、前記ドラムと一定間隔をおいて設置されて運行され、前記ドラムとの間に前記供給されるスラッジが投入され、他方の極性の直流電源が印加されるキャタピラ部と、前記キャタピラ部の間の空間で前記スラッジ供給部の下部に具備され、供給されるスラッジの流動性に応じて可変的に力を加えるシリンダと、一側が外郭フレームに回動可能にヒンジで固定され、他側が前記シリンダと連結されて前記キャタピラ部に届くように具備されるスプロケット（ｓｐｒｏｋｅｔ）と、を含む可変部と、前記キャタピラ部の間の空間に具備され、前記キャタピラ部を運行させる複数個のアイドルスプロケット（Ｉｄｌｅ  Ｓｐｒｏｃｋｅｔ）部と、を含み、前記シリンダに加えられる力に応じて前記スプロケットがヒンジによって回動され、前記ドラムとキャタピラ部との間の間隔が可変されることにその特徴がある。
【００１２】
そして、本発明による電気泳動式電気浸透脱水機は、前記シリンダに連結されて前記シリンダに加えられる空圧を調節する圧力調節装置を更に含み、水分含量が高くて流動性が大きいスラッジの場合、前記圧力調節装置が前記シリンダに空圧を弱く加え、前記スプロケットがキャタピラ部を弱く押して前記キャタピラ部とドラムとの間隔を維持し、水分含量が低くて流動性が小さいスラッジの場合、前記圧力調節装置が前記シリンダに空圧を強く加え、前記スプロケットがキャタピラ部を強く押して前記キャタピラ部とドラムとの間隔を狭く維持することにその特徴がある。
【００１３】
また、本発明による電気泳動式電気浸透脱水機の前記スラッジ供給部は中央上部に具備され、回転部及び前記回転部の下部に具備される２つのローラを含み、前記アイドルスプロケット部は前記スラッジ供給部の下部にそれぞれ具備される第１及び第２アイドルスプロケット、前記第２アイドルスプロケットの下部で前記ドラムに沿って一定間隔で具備される第３乃至第６アイドルスプロケットを含むことにその特徴がある。
【発明の効果】
【００１４】
本発明はスラッジを投入する際、スラッジの流動性に応じてシリンダに異なる空圧を与えて可変的にドラムとキャタピラとの間の間隔を変更することができる。即ち、流動性が大きいスラッジの場合、シリンダに空圧を弱く加えてドラムとキャタピラとの間の間隔を維持させ、流動性が小さいスラッジの場合、シリンダに空圧を強く加えてドラムとキャタピラとの間の間隔を狭く維持させることでスラッジの投入が容易になり、溢れ出るスラッジがないため設備の汚染がなく、スラッジの処理量が向上される効果がある。
【００１５】
本発明は添付した図面に図示された実施例を参照して説明されるが、これは例示的なものであり、該当分野の通常の知識を有する者であればこれから多様な変形及び均等な実施例が可能であるということを理解できるはずである。よって、本発明の真の保護範囲は添付した特許請求の範囲によってのみ決められるべきである。
【図面の簡単な説明】
【００１６】
【図１】従来の電気浸透脱水機の問題現象を示す写真である。
【図２】本発明による流動性に応じてスラッジの円滑な投入が可能な電気泳動式電気浸透脱水機を示す図である。
【図３ａ】流動性が大きいスラッジ、小さいスラッジによる可変部の動作を示す図である。
【図３ｂ】流動性が大きいスラッジ、小さいスラッジによる可変部の動作を示す図である。
【発明を実施するための形態】
【００１７】
以下、本発明の好ましい実施例による流動性に応じてスラッジの円滑な投入が可能な電気泳動式電気浸透脱水機を添付した図面に基づいて詳細に説明する。
図２は、本発明による流動性に応じてスラッジの円滑な投入が可能な電気泳動式電気浸透脱水機を示す図である。
【００１８】
図２を参照すると、本発明による流動性に応じてスラッジの円滑な投入が可能な電気泳動式電気浸透脱水機１００は、スラッジ供給部１０、ドラム２０、キャタピラ部３０、可変部４０及びアイドルスプロケット（ｉｄｌｅ  ｓｐｒｏｃｋｅｔ）部５０で構成される。
【００１９】
スラッジ供給部１０は、電気浸透脱水機１００の中央上部に具備される。スラッジ供給部１０は回転部１１と２つのローラ１３を含む。スラッジ供給部１０にスラッジが投入されると回転部１１によってスラッジが回転しながら投入され、回転部１１の下部に具備される２つのローラ１３によってスラッジが容易に投入される。本実施例ではスラッジ供給部１０が一つの回転部１１及び２つのローラ１３で構成されることを例に挙げて説明するが、このような形態に限られることはない。
【００２０】
ドラム２０はスラッジ供給部１０の下部に具備される。ドラム２０は軸に従って回転する円筒状であり、内周面に一方の極性の直流電源が印加される。ドラム２０は投入されたスラッジの脱水を行う。
【００２１】
キャタピラ部３０は、ドラム２０と一定間隔をおいて設置されて運行される。キャタピラ部３０はドラム２０と反対極性の直流電源が印加される。キャタピラ部３０とドラム２０との間にスラッジが投入される。
【００２２】
可変部４０は、キャタピラ部３０の間の空間でスラッジ供給部１０の下部に具備される。可変部４０はシリンダ４１とスプロケット（ｓｐｒｏｃｋｅｔ；４３）を含む。シリンダ４１は供給されるスラッジの流動性に応じて可変的に力を加える。シリンダ４１は一側が電気浸透脱水機１００の外郭フレームに固定され、他側がスプロケット４３と連結される。スプロケット４３は一側が電気浸透脱水機１００の外郭フレームに回動可能にヒンジ４５で個性され、他側がシリンダ４１の他側と連結される。スプロケット４３はキャタピラ部３０に届くように具備される。
【００２３】
シリンダ４１は、水分含量が高くて流動性が大きいスラッジが供給される場合、力を弱く加えてスプロケット４３がキャタピラ部３０を弱く押し、キャタピラ部３０とドラム２０との間の間隔を維持する。水分含量が低くて流動性が小さいスラッジが供給される場合、シリンダ４１は力を相対的に強く加えてスプロケット４３がキャタピラ部３０を強く押し、キャタピラ部３０とドラム２０との間の間隔を狭く維持する。このように、シリンダ４１の駆動によるスプロケット４３とキャタピラ部３０の動作状態が図３ａと図３ｂに図示される。図３ａと図３ｂは流動性が大きいスラッジ、小さいスラッジによる可変部の動作を示す図である。
【００２４】
図３ａは流動性が小さいスラッジが供給される場合であり、シリンダ４１が力を強く加えてスプロケット４３がキャタピラ部３０を強く押し、キャタピラ部３０とドラム２０との間の間隔を狭く維持することでスラッジがうまく流入されるようにする。図３ｂは流動性が大きいスラッジが供給される場合であり、シリンダ４１が力を弱く加えてスプロケット４３がキャタピラ部３０を強く押し、キャタピラ部３０とドラム２０との間の間隔をある程度維持することでスラッジがうまく流入されるようにする。
【００２５】
一方、本実施例による電気浸透脱水機１００は、圧力調節装置（図示せず）を更に含んでもよい。圧力調節装置はシリンダ４１と連結され、シリンダ４１に加えられる空圧を調節する。即ち、流動性が大きいスラッジが供給される場合、圧力調節装置がシリンダ４１に弱い空圧が加えられるように調節し、流動性が小さいスラッジが供給される場合、圧力調節装置がシリンダ４１に強い空圧が加えられるように調節する。
【００２６】
アイドルスプロケット部５０；５０ａ〜５０ｆはキャタピラ部３０の間の空間に具備されてキャタピラ部３０を運行させる。アイドルスプロケット部５０は複数個、例えば６つが具備される。第１及び第２アイドルスプロケット５０ａ，５０ｂはスラッジ供給部１０の下部にそれぞれ具備される。第１及び第２アイドルスプロケット５０ａ，５０ｂによって形成されるキャタピラ部３０の間の空間に、上述した可変部４０が具備されてもよい。第３乃至第６アイドルスプロケット５０ｃ，５０ｄ，５０ｅ，５０ｆは、第２アイドルスプロケット５０ｂの下部でドラム２０に沿って一定間隔で具備される。
【００２７】
一方、本実施例による流動性に応じてスラッジの円滑な投入が可能な電気泳動式電気浸透脱水機は上述した形態に限られず、本発明の技術的中心思想を逸脱しない範囲内で多様に変更実施されてもよい。これは、本願発明の属する技術分野に携わる者であれば容易に理解できるはずである。
【図１】
2015508333.tif 000003
【図２】
2015508333.tif 000004
【図３ａ】
2015508333.tif 000005
【図３ｂ】
2015508333.tif 000006
【国際調査報告】
2015508333.tif 000007
2015508333.tif 000008
2015508333.tif 000009
2015508333.tif 000010